【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
上りリンク・ランクアダプテーションのための方法であって、
上りリンク送信における、ユーザ装置の、サポート可能な最大データレート及びチャネル情報を推定するステップと、
前記サポート可能な最大データレートと１つ以上の予め定められた閾値とを比較するステップであって、前記予め定められた閾値が、対応するランクに関連付けられている、前記比較するステップと、
前記比較の結果及び前記推定されたチャネル情報に基づいて、前記上りリンク送信において前記ユーザ装置によって使用されるランクを決定するステップと、
を含むことを特徴とする方法。
【請求項２】
前記サポート可能な最大データレートの推定は、前記ユーザ装置の上りリンク電力ヘッドルームの推定、送信バッファの状態の推定、及び上りリンク送信グラントの推定に基づいて、前記サポート可能な最大データレートを推定するステップを含むことを特徴とする請求項１に記載の方法。
【請求項３】
前記ユーザ装置の前記上りリンク電力ヘッドルームの推定は、次式
availableUPH ＝ referenceUPH＋StepSize×accumulatedTPC＋Δ
に基づいて推定するステップを含み、
availableUPHは、推定された上りリンク電力ヘッドルーム、referenceUPHは、基準上りリンク電力ヘッドルーム、StepSizeは、インナーループ電力制御ステップサイズ、accumulatedTPCは、送信電力コマンドの累積値、Δは、前記上りリンク電力ヘッドルームの推定誤差を補償するためのマージンである
ことを特徴とする請求項２に記載の方法。
【請求項４】
前記基準上りリンク電力ヘッドルームを更新するステップを更に含み、
前記更新するステップでは、
前記ユーザ装置が前記上りリンク電力ヘッドルームを報告したことに応じて、前記基準上りリンク電力ヘッドルームを、当該報告された電力ヘッドルームに更新すること、
前記ユーザ装置の前記上りリンク電力ヘッドルームを測定したことに応じて、前記基準上りリンク電力ヘッドルームを、当該測定された上りリンク電力ヘッドルームに更新すること、及び
次式
2014526177.tif 000001
に基づいて、前記基準上りリンク電力ヘッドルームを更新すること、のうちの少なくとも１つによって、前記基準上りリンク電力ヘッドルームを更新し、
TPOは、ユーザ装置の送信電力オフセット、Nは、前記上りリンクの物理チャネル数、rxPowerPCH,cは、第c番目の物理チャネルの受信電力、rxPowerR-DPCCHは、前記上りリンク電力ヘッドルームの基準個別物理制御チャネルの受信電力である
ことを特徴とする請求項３に記載の方法。
【請求項５】
前記送信バッファ状態の推定は、
前記ユーザ装置から受信されるハッピービット、
前記ユーザ装置から受信される拡張トランスポート・フォーマット組み合わせインジケータ、及び
前記ユーザ装置の現在のサービスタイプ
のうちの少なくとも１つに基づいて推定するステップを含む
ことを特徴とする請求項２に記載の方法。
【請求項６】
前記上りリンク送信グラントの推定は、前記ユーザ装置がソフトハンドオーバ中であることに応じて、
前記ユーザ装置が電力制限されておらず否定ハッピービットを送信する場合の最大トランスポート・ブロックサイズ、及び
前記ユーザ装置が電力制限されている場合の最大トランスポート・ブロックサイズ
のうちの少なくとも１つに基づいて推定するステップ、を含む
ことを特徴とする請求項２に記載の方法。
【請求項７】
前記サポート可能な最大データレートの推定は、次式
maxDataRateSS＝f(availableUPH,NrofBufferedBits,SGSS)/TTI_length
に基づいて、単一ストリーム送信用の前記サポート可能な最大データレートを推定するステップを含み、
maxDataRateSSは、前記単一ストリーム送信における前記サポート可能な最大データレート、availableUPHは、前記推定された上りリンク電力ヘッドルーム、NrofBufferedBitsは、前記送信バッファにバッファリングされているビット数の推定値、SGSSは、単一ストリーム送信について推定された上りリンク送信グラント、TTI_lengthは、送信時間間隔の長さ、f()は、availableUPH、NrofBufferedBits及びSGSSを、それぞれのサポート可能な最大データレートにそれぞれマッピングし、かつ、最小値を取る関数である
ことを特徴とする請求項２から６のいずれか１項に記載の方法。
【請求項８】
前記サポート可能な最大データレートの推定は、次式
2014526177.tif 000002
に基づいて、複数ストリーム送信用の前記サポート可能な最大データレートを推定するステップを含み、
maxDataRateMSは、前記複数ストリーム送信における前記サポート可能な最大データレート、sは、ストリームのシリアル番号、Nは、ストリーム数、UPHsは、第s番目のストリームについて推定された上りリンク電力ヘッドルーム、NrofBufferedBitssは、第s番目のストリームについて推定された、前記送信バッファにバッファリングされているビット数、SGSは、第s番目のストリームについて推定された上りリンク送信グラント、TTI_lengthは、送信時間間隔の長さ、f()は、UPHs、NrofBufferedBitss及びSGsを、それぞれのサポート可能な最大データレートにそれぞれマッピングし、かつ、最小値を取る関数である
ことを特徴とする請求項２から６のいずれか１項に記載の方法。
【請求項９】
前記サポート可能な最大データレートの推定は、
前記推定されたチャネル情報及び前記上りリンク電力ヘッドルームに基づいて、最大の信号対干渉及び雑音比を推定するステップと、
前記最大の信号対干渉及び雑音比に基づいて、サポート可能なデータレートを推定するステップと、
前記サポート可能なデータレート、前記送信バッファ状態及び前記上りリンク送信グラントに基づいて、前記サポート可能な最大データレートを推定するステップと
を含むことを特徴とする請求項２に記載の方法。
【請求項１０】
前記ランクを変更可能であることを前記ユーザ装置に動的に知らせるステップを更に含むことを特徴とする請求項１に記載の方法。
【請求項１１】
前記上りリンク送信において前記ユーザ装置によって使用される前記ランクを決定するステップは、
前記比較の結果に基づいて決定されたランクと、前記推定されたチャネル情報に基づいて決定されたランクとから、小さい方のランクを、前記上りリンク送信において前記ユーザ装置によって使用される前記ランクとして選択するステップ
を含むことを特徴とする請求項１に記載の方法。
【請求項１２】
上りリンク・ランクアダプテーションのための装置であって、
上りリンク送信における、ユーザ装置の、サポート可能な最大データレート及びチャネル情報を推定する推定器と、
前記サポート可能な最大データレートと１つ以上の予め定められた閾値とを比較する比較器であって、前記予め定められた閾値が、対応するランクに関連付けられている、前記比較器と、
前記比較の結果及び前記推定されたチャネル情報に基づいて、前記上りリンク送信において前記ユーザ装置によって使用されるランクを決定する決定器と、
を備えることを特徴とする装置。
【請求項１３】
前記推定器は、前記ユーザ装置の、上りリンク電力ヘッドルームの推定、送信バッファの状態の推定、及び上りリンク送信グラントの推定に基づいて、前記サポート可能な最大データレートを推定することを特徴とする請求項１２に記載の装置。
【請求項１４】
前記推定器は、次式
maxDataRateSS＝f(availableUPH,NrofBufferedBits,SGSS)/TTI_length
に基づいて、単一ストリーム送信用の前記サポート可能な最大データレートを推定し、
maxDataRateSSは、前記単一ストリーム送信における前記サポート可能な最大データレート、availableUPHは、前記推定された上りリンク電力ヘッドルーム、NrofBufferedBitsは、前記送信バッファにバッファリングされているビット数の推定値、SGSSは、単一ストリーム送信について推定された上りリンク送信グラント、TTI_lengthは、送信時間間隔の長さ、f()は、availableUPH、NrofBufferedBits及びSGSSを、それぞれのサポート可能な最大データレートにそれぞれマッピングし、かつ、最小値を取る関数である
ことを特徴とする請求項１３に記載の装置。
【請求項１５】
前記推定器は、次式
2014526177.tif 000003
に基づいて、複数ストリーム送信用の前記サポート可能な最大データレートを推定し、
maxDataRateMSは、前記複数ストリーム送信における前記サポート可能な最大データレート、sは、ストリームのシリアル番号、Nは、ストリーム数、UPHsは、第s番目のストリームについて推定された上りリンク電力ヘッドルーム、NrofBufferedBitssは、第s番目のストリームについて推定された、前記送信バッファにバッファリングされているビット数、SGSは、第s番目のストリームについて推定された上りリンク送信グラント、TTI_lengthは、送信時間間隔の長さ、f()は、UPHs、NrofBufferedBitss及びSGsを、それぞれのサポート可能な最大データレートにそれぞれマッピングし、かつ、最小値を取る関数である
ことを特徴とする請求項１３に記載の装置。
【請求項１６】
前記推定器は、
前記推定されたチャネル情報及び前記上りリンク電力ヘッドルームに基づいて、最大の信号対干渉及び雑音比を推定し、
前記最大の信号対干渉及び雑音比に基づいて、サポート可能なデータレートを推定し、かつ、
前記サポート可能なデータレート、前記送信バッファ状態及び前記上りリンク送信グラントに基づいて、前記サポート可能な最大データレートを推定する
ことを特徴とする請求項１２に記載の装置。
【請求項１７】
請求項１２から１６のいずれか１項に記載の、上りリンク・ランプアダプテーションのための装置を備えることを特徴とする基地局。
【請求項１８】
上りリンク・ランクアダプテーションのためのシステムであって、
基地局と、
前記基地局と無線通信するユーザ装置と、を備え、
前記基地局は、
上りリンク送信における、ユーザ装置の、サポート可能な最大データレート及びチャネル情報を推定する推定器と、
前記サポート可能な最大データレートと１つ以上の予め定められた閾値とを比較する比較器であって、前記予め定められた閾値が、対応するランクに関連付けられている、前記比較器と、
前記比較の結果及び前記推定されたチャネル情報に基づいて、前記上りリンク送信において前記ユーザ装置によって使用されるランクを決定する決定器と、を備え、
前記ユーザ装置は、前記基地局によって決定された前記ランクに基づいて、前記上りリンク送信を実行する
ことを特徴とするシステム。
【請求項１９】
上りリンク・ランクアダプテーションのための方法であって、
ユーザ装置による、基地局によって決定された上りリンク送信用のランクの変更を可能にするインジケーションを、前記基地局から受信するステップと、
１つ以上の予め定められた閾値に基づいて、上りリンク送信用の前記ランクを変更するステップと、
を含むことを特徴とする方法。
【請求項２０】
前記１つ以上の予め定められた閾値は、ユーザ装置の、送信バッファにバッファリングされたデータ、利用可能な上りリンク電力ヘッドルーム、または上りリンク送信グラントについての１つ以上の予め定められた閾値を含むことを特徴とする請求項１９に記載の方法。
【請求項２１】
１つ以上の予め定められた閾値に基づいて、上りリンク送信用の前記ランクを変更するステップは、
バッファリングされているデータ、利用可能な上りリンク電力ヘッドルーム、または上りリンク送信グラントが、前記１つ以上の予め定められた閾値より小さいと判定したことに応じて、上りリンク送信用の前記ランクを変更するステップを含む
ことを特徴とする請求項１９に記載の方法。
【請求項２２】
上りリンク・ランクアダプテーションのための方法であって、
上りリンク送信用のランクを基地局から受信するステップと、
バッファリングされているデータ、利用可能な上りリンク電力ヘッドルーム、または上りリンク送信グラントが、１つ以上の予め定められた閾値より小さいかを判定するステップと、
バッファリングされているデータ、利用可能な上りリンク電力ヘッドルーム、または上りリンク送信グラントが、前記予め定められた閾値より小さいと判定したことに応じて、上りリンク送信用の前記ランクを変更するステップと、
を含むことを特徴とする方法。
【請求項２３】
前記基地局から受信される前記ランクは、ランク２であり、
前記バッファリングされているデータ、前記利用可能な上りリンク電力ヘッドルーム、または前記上りリンク送信グラントが、前記予め定められた閾値より小さいと判定したことに応じて、前記ランクがランク２からランク１に変更される
ことを特徴とする請求項２２に記載の方法。